(57)【特許請求の範囲】
【請求項１】
装着部を突設させて、座面を挟んだ対称的な左右一対の平行な側壁を形成した台座と、
該台座における左右の側壁に設けられた背凭れ部材と、
前記装着部に着脱自在に装着されて左右の側壁を橋絡する橋絡部材とを備えたベビー用チェアであって、
前記装着部は、側面視において上部が開口したコ字形に形成され、
該装着部の内面には、前後に形成された孔が対向して設けられ、
前記橋絡部材の両端部には、ストッパー機構を内蔵した挿入部が設けられ、
前記ストッパー機構は、前記挿入部の表面から互いに反対方向に突出して設けられた押し釦と、前記挿入部の表面から没入可能となるように該表面から突出して設けられ、前記装着部の前記孔に挿入される一対のストッパー軸とを備え、
前記橋絡部材は、一方の前記ストッパー機構の両方の前記押し釦を押して当該ストッパー機構の前記ストッパー軸を没入させながら、他方の前記ストッパー機構の前記ストッパー軸を軸に回転して持ち上げ可能であることを特徴とするベビー用チェア。
【請求項２】
前記ストッパー機構は、
前記挿入部の内部に背中合わせに配置され、前記押し釦及び前記ストッパー軸が設けられた一対のストッパー板と、
これらストッパー板の間に設けられ、これらストッパー板の間に拡張力を加えるバネとを備えたことを特徴とする請求項１に記載のベビー用チェア。
【請求項３】
前記装着部に装着される前記挿入部が同一構造で異なる機能を付設した複数の橋絡部材を構成し、該複数の橋絡部材を交換可能に構成したことを特徴とする請求項１又は請求項２に記載のベビー用チェア。
【請求項４】
前記台座における左右の側壁には、前記装着部の後方に連結部が突設されており、
前記背凭れ部材は、前記台座における左右の側壁に設けられた軸支部を支点として頸当部側が揺動可能となっており、
前記連結部における前記台座と前記背凭れ部材との相互間に設けられた連結機構により前記背凭れ部材の背凭れ角を可変にしたことを特徴とする請求項１〜請求項３のいずれか一項に記載のベビー用チェア。
【発明の詳細な説明】
【０００１】
【発明の属する技術分野】
本発明は、ベビー用チェアに係り、さらに詳しくは乳幼児の浴室におけるバスチェアと居室における座椅子とに利用できる兼用型のベビー用チェアに関するものである。
【０００２】
【従来の技術】
この種のベビー用チェアとして登録実用新案第３０３５７３３号公報に記載の「幼児入浴用補助いす」が知られている。上記公報記載の図面の一部が、図１０に示されている。図１０において、１０１は座盤、１０５は軸支部、１１１はＵ字形状の背凭れ部材、１１４は立上り部、１２２は保護アームである。上記の座盤１０１の左右両側辺部における前寄り箇所に左右の軸支部１０５が設けられ、この左右軸支部１０５に座盤１０１の上方に配された背凭れ部材１１１の左右両端が起伏可能として軸受けされている。そして、その明細書には背凭れ部材１１１を倒して小さい状態にして、搬送・格納に際する箱詰めをコンパクトにできる等の実用的効果を有すると言う説明がなされている。
【０００３】
【発明が解決しようとする課題】
図１０の従来の浴用補助いすの背凭れ部材１１１は、上記のように左右両端が軸支部１０５に起伏可能として軸受けされている。しかしながら、背凭れ部材１１１を伏臥したときにはＵ字形状内に立上り部１１４が格納されるので、幼児の椅子の利用が背凭れ部１１１の起立したときに限られることになる。したがって、浴室内で幼児をいすに座らせて洗髪するときは頭部を立てた状態で洗わなければならず、シャンプーが幼児の両目に流れ込むという不都合がある。このほか、図に示すように、いすの前面に傾斜取付けされるおもちゃを付けた保護アーム１２２だけが準備されているので、授乳時のほ乳瓶等を載せて居室用として兼用したときのベビー用のチェアとしては不適当になる等の問題点がある。
【０００４】
本発明は、上記のような従来の課題を解決するためになされもので、背凭れ部材の上向きの度合いを容易に変更して、乳幼児の洗髪と睡眠に適する背凭れ角度に選択することができて、浴室は勿論のこと居室における幼児用の座椅子としても利用できる等の取り扱いに便利なベビー用チェアを実現することを目的としたものである。
【０００５】
【課題を解決するための手段】
本発明は、装着部を突設させて、座面を挟んだ対称的な左右一対の平行な側壁を形成した台座と、台座における左右の側壁に設けられた背凭れ部材と、装着部に着脱自在に装着されて左右の側壁を橋絡する橋絡部材とを備えたベビー用チェアであって、装着部は、側面視において上部が開口したコ字形に形成され、装着部の内面には、前後に形成された孔が対向して設けられ、橋絡部材の両端部には、ストッパー機構を内蔵した挿入部が設けられ、ストッパー機構は、挿入部の表面から互いに反対方向に突出して設けられた押し釦と、挿入部の表面から没入可能となるように表面から突出して設けられ、装着部の孔に挿入される一対のストッパー軸とを備え、橋絡部材を、一方のストッパー機構の両方の押し釦を押してこのストッパー機構のストッパー軸を没入させながら、他方のストッパー機構のストッパー軸を軸に回転して持ち上げ可能にしたベビー用チェアを構成したものである。
また、上記において、ストッパー機構が、挿入部の内部に背中合わせに配置され、押し釦及びストッパー軸が設けられた一対のストッパー板と、これらストッパー板の間に設けられ、これらストッパー板の間に拡張力を加えるバネとを備えたベビー用チェアを構成したものである。
また、上記において、装着部に装着される挿入部が同一構造で異なる機能を付設した複数の橋絡部材を構成し、該複数の橋絡部材を交換可能に構成したベビー用チェアを構成したものである。
また、上記において、一対の台座には、装着部の後方に連結部が突設されており、背凭れ部材は、台座における左右の側壁に設けられた軸支部を支点として頸当部側が揺動可能となっており、連結部における台座と背凭れ部材との相互間に設けられた連結機構により背凭れ部材の背凭れ角を可変にしたベビー用チェアを構成したものである。
【０００６】
【発明の実施の形態】
実施の形態１
図１は本発明の実施の形態１の全体構成を示す斜視図、図２は実施の形態１の台座の説明図で、（ａ）は平面図、（ｂ）は右側面図、（ｃ）は前面図、図３は実施の形態１の断面説明図で、（ａ）はＡ−Ａ断面図、（ｂ）はＢ−Ｂ断面図、で、（ｃ）は軸支部の断面図である。図２（ａ）と（ｃ）は表裏の半分割図で示されている。
【０００７】
以下、対称構造で一対型の構成部材については、数値符号の複数の記載を省略して説明する。
図１において、１はベビー用チェアである。ベビー用チェア１は合成樹脂により左右がほぼ対称構造に成形されている。ベビー用チェア１は平面形状がほぼ長方形で主に基盤の機能を司る台座２と、チェア内に収容された乳幼児の背中側を包囲する背凭れ部４と、座った乳幼児の上体部付近の移動範囲を規制する機能を果たす橋絡桿６との３部分から構成されている。
【０００８】
台座２の構造を示す図２と図３において、２１は台座２の中央前部に設けられた隆起部、２２はその後方に続いて浅い扁平な凹部で構成された方形のシート部である。隆起部２１に続くシート部２２により、前方への乳幼児の滑り出しを防止した座面２０が構成される。２３と２４はシート部２２の周辺部に形成された複数の細溝と庇片である。細溝２３と庇片２４にはシート部２２と相似形に作られたウレタン等からなるシート部材２５（図１）の突出部と辺部等が差し込まれて、シート部材２５がシート部２２の凹部内に交換可能に添着される。２６は台座２の底面四隅に設けられたウレタン樹脂等の滑り止め３５（図９）が挿入される溝孔である。
【０００９】
２８は台座２の上面で座面２０を挟み、一対の平行な左右対称的な側壁である。２９は両側壁２８の前方上端に突設され後で説明する橋絡桿６を装着するための装着部、３０は後方側に突設されて背凭れ部材４に連結される円弧状の連結部、３１は側壁２８の中央寄りに形成された円筒状の軸支部である。装着部２９はコ字形に形成され、内面に後述するストッパー軸が挿入される孔２９ａが対向して設けられている。連結部３０の円弧面は軸支部３１と同心的になっていて、鍵形の２つのロック穴３２がその円弧面に開口している。また、３３は軸支部３０内の２つの係止孔、３４は台座２の側面に傾斜して形成された背凭れ部４の下限の位置決め用の段部である。
【００１０】
図４は背凭れ部材の説明図、図５はロック機構の説明図である。４は背凭れ部材で、輪郭形状が逆Ｕ字状に形成されている。４１と４２は背凭れ部材４の頸当部と背当部、４３は両脇に突設された肘掛け部、４４は下端の両側面に穿設された軸孔、４５は２本の係止爪４６を向かい合わせて設けたキャップである〔図３（ｃ）〕。軸孔４４は台座２側の軸支部３１に嵌め合わされて、キャップ４５が被されて背凭れ部材４の頸当部４１側が軸支部３１を中心に揺動可能に結合される。その際、キャップ４５の２本の係止爪４６が係止孔３３に係止されて、抜け止めされる。４７は断面がコ字形で背面側に開口し背凭れ部材４の輪郭に沿って設けられたＵ字溝、４８はＵ字溝４７内に設けられた背凭れ部材４をロックするロック部材を取り付けるための取付台である。
【００１１】
取付台４８はＵ字溝４７内の左右に同一高さに形成され、この取付台４８には連結部３０に対応するロック機構５０が設けられている。５２はロック機構５０の固定用のネジ、５３は操作桿、５４は摘み板、５５はバネである。バネ５５は操作桿５３に拡張力を与えて、図５の（ｂ）に示す状態で操作桿５３の角部５６をロック孔３２に嵌入させて、背凭れ部材４の傾斜状態をロックする。
【００１２】
また、橋絡桿６の部分的な構造が、図６（ａ），（ｂ）に示されている。この橋絡桿６は対称型の上下２部材をネジ結合して構成され、コ字形の両端部を下方に折り曲げて端部に挿入部６０が構成されている。７０は挿入部６０に内蔵されたストッパー機構である。７１は挿入部６０の内部に背中合わせに配置された一対のストッパー板、７２は押し釦、７３はストッパー軸、７４はバネである。バネ７４は両側の押し釦７２の間に配置されて、ストッパー板７１に拡張力を加えている。そして、押し釦７２を矢印のように左右から押し付けると、ストッパー軸７３の間隔が狭められて挿入部６０の表面から没入する。６２は橋絡桿６の上面に取り付けられた３種類の玩具類である。玩具類６２のうち、左端は音を発しながら上下動する円筒玩具、中央は円筒面を露出させた手回し玩具、右端は星の外周を摘んで回転させる星形玩具である。なお、図１と図２（ｃ）の８３は実施の形態２の保持板８２を保持する保持穴である。
【００１３】
上記のような構成のベビー用チェア１は、それぞれ上述したような構造の台座２と背凭れ部材４と橋絡桿６との３部材を組み付けて構成される。即ち、背凭れ部材４を台座２の後部側に上から宛いながら台座２下部の外側面に露出した軸支部３１に背凭れ部材４の軸孔４４を嵌合して、外側からキャップ４５を被せて両者を結合する。次いで、台座２のコ字型の装着部２９に橋絡桿６の両端の挿入部６０を挿入して側壁２８間を橋絡すれば、図１に示すようなベビーチェア１が組み立てられる。
【００１４】
組み立てられたベビーチェア１は乳幼児を入浴させるときに、浴室に運ばれて浴槽に近い床面に置かれる。通常状態ではロック機構５０の角部５６が上方のロック孔３２に嵌入していて背凭れ角θ〔図９（ｂ）〕がほぼ１２０度に設定されている。乳幼児をベビーチェア１に座らせるときは、予め橋絡桿６を解放させておく。橋絡桿６を解放するときは、図７（ａ）のゴシックの矢印で示されたように、橋絡桿６の一方（向かって左側）のストッパー機構７０の押し釦７２を親指と人差し指で押しながら、他方（右側）の挿入部６０内のストッパー軸７３を軸に回転して持ち上げる。
【００１５】
そして、浴槽から抱き上げた乳幼児を座面２０に座らせて、橋絡桿６を逆方向に回転して左の挿入部６０を装着部２９に嵌入して橋絡する〔図（ｂ）〕。その際、ストッパー機構７０のロック動作の有無を確認する。乳幼児をベビーチェア１から出して抱き上げるときも、上記と同様に橋絡桿６の橋絡状態を解放する。橋絡桿６を逆方向に回転してもよく〔図（ｃ）〕、両側の押し釦７２を同時に押して橋絡桿６を取り外してから座らせることもできる。
【００１６】
また、乳幼児の洗髪を行うときは、図８（ａ）に示すように、ベビーチェア１の背面に向かって背凭れ部材４の背面の両側を両手で支える。そして、ロック機構５０の摘み板５４に両手の人差し指を掛けて引き上げると、操作桿５３の角部５６がロック孔３２から抜け出してロックが解除される。そのまま、背凭れ部材４を押し下げれば、凭れ部材４のＵ字溝４７の外壁が台座２の段部３４に当接して背凭れ角θが下限の２０度程度に押し下げられる。傾きが低くなるので、両目に流れ込むシャンプーに気を使うことなく、乳幼児の洗髪を行うことができる。操作桿５３の角部５６を２番目のロック孔３２に嵌入すれば背凭れ角θがほぼ６０度になり、成長した幼児の洗髪等に適用できる。
【００１７】
このほか、台座２の内面側から操作して、図３（ｃ）に示したキャップ４５の２本の向かい合った係止爪４６を外側に広げて外側方向の力を加えれば、キャップ４５が押し出される。こうして、２つのキャップ４５を抜き外せば、台座２から背凭れ部材４を分離することができる。また、前記のように橋絡桿６も分解できるので、これらの分離された３個の構成部材を小型な段ボール箱等にコンパクトに収納することも可能である。
【００１８】
実施の形態２
図９は本発明の実施の形態２の構成を示す説明図で、（ａ）は側面図、（ｂ）は（ａ）の断面図である。実施の形態２が座面２０の前面上部に橋絡部材を設けて、チェアに収容された乳幼児の移動範囲を規制するという主たる機能においては変わるところがない。しかしながら、橋絡桿６に玩具類６２を設けた構成の実施の形態１に対して、実施の形態２では橋絡部材６にテーブル８を設けた構造になっている。
【００１９】
図９において、８はテーブル、８１はその基部、８２はテーブル８を支える保持板である。上記テーブル８の基部８１にも、前記の橋絡桿６の挿入部６０と同一構造の挿入部６０が設けられている。保持板８２はテーブル８に着脱自在で、必要により取り付けられる。そして、ベビーチェア１は浴室のほかに居室にも設置されて、授乳時やおやつ時には実施形態２のテーブル付きの橋絡部材６に取り替えられる。また、乳幼児の睡眠時には、ロック機構５０を切り換えて背凭れ角θが６０度や２０度に選択されるようになっている。なお、図９の３５は台座２の四隅に設けた滑り止めである。
【００２０】
なお、上述の実施の形態では、星形等の玩具類を付設した橋絡桿とテーブルを付設した橋絡部材を交換可能に構成した場合を例示して説明したが、数学的な知能を発展させる玩具や電子技術の応用玩具等を設けた場合にも本発明を適用することができる。また、操作桿の角部をロック孔に嵌入させたロック機構を、実施の形態２の保持板のような支え部材で背凭れ角θを切り替えるように構成してもよい。特に、台座と背凭れ部材との連結部に摩擦車や歯車等を応用したロック手段付きの連結機構を構成して、背凭れ角θの間欠切換に代えて連続可変型にしてもよい。さらに、一対の出没するストッパー軸を設けたストッパー機構等の構成についても、必ずしも実施の形態の構造に限定するものではない。
【００２１】
【発明の効果】
以上、説明したように、本発明は、背凭れ部材の背凭れ角を複数段に切り換え可能に構成した。したがって、浴室の洗髪時において、シャンプーの流入による乳幼児の目の痛みを防ぐことができる。また、居室内の乳幼児の食事や睡眠などの生活態様に合わせて、背凭れ角を適切な角度に設定することもできる。しかも、おもちゃやテーブル付きの橋絡部材を交換できるので、極めて便利になる。
【００２２】
よって、本発明によれば、乳幼児の生活に即した姿勢で座らせることができるばかりか、座席時の状態に適した構成部材を選択的に構成できるベビー用チェアを提供することができ、極めて便利なベビー用チェアが実現される。
【図面の簡単な説明】
【図１】本発明の実施の形態１の全体構成を示す斜視図である。
【図２】実施の形態１の台座の構造を示す説明図である。
【図３】台座の構造を示す断面説明図である。
【図４】背凭れ部材の説明図である。
【図５】ロック機構の説明図である。
【図６】橋絡桿の構成を示す説明図である。
【図７】実施の形態１の動作説明図である。
【図８】実施の形態１の別の動作説明図である。
【図９】本発明の実施の形態２の構成を示す説明図である。
【図１０】従来の浴用補助いすの構成図である。
【符号の説明】
１  ベビー用チェア
２  台座
４  背凭れ部材
６  橋絡桿（橋絡部材）
８  テーブル（橋絡部材）
２０  座面
２５  シート部材
２８  側壁
２９  装着部
３０  連結部
３１  軸支部
３２  ロック孔
３３  係止孔
３４  段部
４１  頸当部
４２  背当部
４３  肘掛け部
４４  軸孔
４７  Ｕ字溝
４８  取付台
５０  ロック機構（連結機構）
５１  可動部材
５３  操作桿
５４  摘み板
５６  角部
６０  挿入部
６２  玩具類
７０  ストッパー機構
７３  ストッパー軸
７５  玩具類
８２  保持板
８３  保持穴
θ  背凭れ角
【図１】
0004659198.tif 000002
【図２】
0004659198.tif 000003
【図３】
0004659198.tif 000004
【図４】
0004659198.tif 000005
【図５】
0004659198.tif 000006
【図６】
0004659198.tif 000007
【図７】
0004659198.tif 000008
【図８】
0004659198.tif 000009
【図９】
0004659198.tif 000010
【図１０】
0004659198.tif 000011